【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
装置本体における画角内の任意の位置から視認可能な位置に設けられた発光素子と、
撮影動作に際し、前記発光素子を、撮影タイミングの決定方法を表す特定の点灯パターンで点灯させる点灯制御手段と
を備えたことを特徴とするカメラ装置。
【請求項２】
前記点灯制御手段は、撮影動作に際し、当該撮影動作に含まれる一連の動作状態の遷移に応じて前記発光素子を点灯又は消灯させるとともに、前記発光素子を点灯させるときの点灯パターンを前記特定の点灯パターンに制御する点灯制御を行うことを特徴とする請求項１記載のカメラ装置。
【請求項３】
前記点灯制御手段は、前記撮影動作に含まれる一連の動作状態の遷移に従って前記発光素子を点灯させるときの点灯パターンを変化させることを特徴とする請求項２記載のカメラ装置。
【請求項４】
撮影タイミングの決定方法が異なる複数の撮影モードを選択的に設定する撮影モード設定手段と、
前記撮影モード設定手段により設定された撮影モードに応じた撮影準備動作を開始するとともに、該撮影モードに応じた撮影開始条件が満たされるまで待機し、該撮影開始条件が満たされた後に撮影記録を行う一連の撮影動作を実行する撮影制御手段と、を更に備え、
前記点灯制御手段は、前記撮影モード設定手段により設定される撮影モードの違いに応じて、前記特定の点灯パターンを変化させることを特徴とする請求項１乃至３いずれか記載のカメラ装置。
【請求項５】
前記点灯制御手段は、前記撮影準備動作を開始した後であって前記撮影開始条件が満たされていない第１の動作状態と、前記撮影開始条件が成立した後であって前記撮影記録動作が完了していない第２の動作状態とを含む一連の動作状態の遷移を示す点灯パターンで前記発光素子を点灯させることを特徴とする請求項４記載のカメラ装置。
【請求項６】
前記点灯制御手段は、前記第１の動作状態における前記発光素子の点灯パターンを、前記撮影モード設定手段により設定される撮影モードの違いに応じて変化させることを特徴とする請求項５記載のカメラ装置。
【請求項７】
装置本体の周囲の明るさを検出する明るさ検出手段を備え、
前記点灯制御手段は、前記点灯制御に伴い前記発光素子を点灯させるときの点灯パターンを、撮影タイミングの決定方法を表すとともに前記明るさ検出手段により検出された周囲の明るさに応じた特定の点灯パターンに制御することを特徴とする請求項１乃至６いずれか記載のカメラ装置。
【請求項８】
前記特定の点灯パターンは、点灯色、点滅速度、点灯回数のうち少なくともいずれか１つにより特徴づけられていることを特徴とする請求項１乃至７いずれか記載のカメラ装置。
【請求項９】
撮影動作に際して所定の補助光の要否を判断する判断手段を備え、
前記点灯制御手段は、前記判断手段により所定の補助光が必要と判断された場合には、
撮影動作に際し、所定の補助光の確保を目的として前記発光素子を点灯させる
ことを特徴とする請求項１乃至８いずれか記載のカメラ装置。
【請求項１０】
前記所定の補助光は、オートフォーカス動作用の補助光であることを特徴とする請求項９記載のカメラ装置。
【請求項１１】
前記所定の補助光は、本撮影用の補助光であることを特徴とする請求項９または１０記載のカメラ装置。
【請求項１２】
前記点灯制御手段は、前記撮影動作に含まれる露光中には前記発光素子を消灯することを特徴とする請求項１乃至１１いずれか記載のカメラ装置。
【請求項１３】
前記点灯制御手段は、撮影動作の完了時に、撮影動作の完了を示す点灯パターンで前記発光素子を点灯させることを特徴とする請求項２乃至１２いずれか記載のカメラ装置。
【請求項１４】
前記点灯制御手段は、連続撮影を行う連写モードによる撮影動作に際し、最後の露光動作の終了時のみ前記撮影動作の完了を示す点灯パターンで前記発光素子を点灯させる点灯制御を行うことを特徴とする請求項２乃至１３いずれか記載のカメラ装置。
【請求項１５】
撮影タイミングの判断基準となるとともに撮影時に変化する基準情報を取得する取得手段を備え、
前記発光制御手段は、前記取得手段により取得された基準情報の内容が、決められた条件に該当する内容に変化した時点を撮影タイミングとして決定する自動撮影モードによる撮影動作に際し、前記点灯制御に伴い前記発光素子を点灯させるときの点灯パターンを、
前記基準情報の内容における決められた条件との合致度合に応じて変化させることを特徴とする請求項２乃至１４いずれか記載のカメラ装置。
【請求項１６】
前記取得手段により取得される基準情報は手振れ量であり、
前記自動撮影モードは、手振れ量が閾値以下となった時点が撮影タイミングとして決定する撮影モードである
ことを特徴とする請求項１５記載のカメラ装置。
【請求項１７】
前記発光制御手段は、撮影指示があってから設定時間が経過した時点を撮影タイミングとして決定する自動撮影モードによる撮影動作に際し、前記点灯制御に伴い前記発光素子を点灯させるときの点灯パターンを、撮影指示があったからの経過時間に応じて変化させることを特徴とする請求項２乃至１６いずれか記載のカメラ装置。
【請求項１８】
動画撮影機能を備えるとともに、前記撮影動作は静止画撮影を目的とした撮影動作であって、
前記点灯制御手段は、動画撮影期間中に実施される静止画撮影を目的とした撮影動作に際しても、当該撮影動作中に順に遷移する一連の動作状態に応じて前記発光素子の点灯を制御するとともに、当該点灯制御に伴い前記発光素子を前記特定の点灯パターンで点灯させる
ことを特徴とする請求項１乃至１７いずれか記載のカメラ装置。
【請求項１９】
撮影動作中に特定状況の発生の有無を逐次検出する状況検出手段を備え、
前記点灯制御手段は、撮影動作に際して前記点灯制御を行う間、前記状況検出手段により特定状況の発生が検出されたことに応答し、警告を表す点灯パターンで前記発光素子を点灯させる
ことを特徴とする請求項１乃至１８いずれか記載のカメラ装置。
【請求項２０】
前記撮影動作に際し、当該撮影動作に含まれる一連の動作状態が表示可能な動作情報表示手段と、
この動作情報表示手段における前記動作状態の表示の有無を制御する表示制御手段と
をさらに備えたことを特徴とする請求項１乃至１９いずれか記載のカメラ装置。
【請求項２１】
前記表示制御手段は、前記点灯制御手段による前記点灯制御に伴う発光素子の点灯に連動し、前記動作情報表示手段に前記動作状態を表示させることを特徴とする請求項２０記載のカメラ装置。
【請求項２２】
前記表示制御手段は、前記点灯制御手段による前記点灯制御に伴う発光素子の点灯に連動することなく前記動作情報表示手段に前記動作状態を表示させることを特徴とする請求項２０記載のカメラ装置。
【請求項２３】
装置本体における画角内の任意の位置から視認可能な位置に発光素子が設けられたカメラ装置における撮影タイミング報知方法であって、
撮影動作に際し、前記発光素子の点灯タイミングの到来を逐次確認する工程と、
前記点灯タイミングが到来したとき、前記発光素子を撮影タイミングの決定方法を表す特定の点灯パターンで点灯させる工程と
を含むことを特徴とする撮影タイミング報知方法。
【請求項２４】
装置本体における画角内の任意の位置から視認可能な位置に発光素子が設けられたカメラ装置が有するコンピュータを、
撮影動作に際し、前記発光素子を、撮影タイミングの決定方法を表す特定の点灯パターンで点灯させる点灯制御手段として機能させることを特徴とする撮影タイミング報知プログラム。
【手続補正２】
【補正対象書類名】明細書
【補正対象項目名】０００７
【補正方法】変更
【補正の内容】
【０００７】
また、請求項３記載の発明に係るカメラ装置にあっては、前記点灯制御手段は、前記撮影動作に含まれる一連の動作状態の遷移に従って前記発光素子を点灯させるときの点灯パターンを変化させることを特徴とする。
また、請求項４記載の発明に係るカメラ装置にあっては、撮影タイミングの決定方法が異なる複数の撮影モードを選択的に設定する撮影モード設定手段と、前記撮影モード設定手段により設定された撮影モードに応じた撮影準備動作を開始するとともに、該撮影モードに応じた撮影開始条件が満たされるまで待機し、該撮影開始条件が満たされた後に撮影記録を行う一連の撮影動作を実行する撮影制御手段と、を更に備え、前記点灯制御手段は、前記撮影モード設定手段により設定される撮影モードの違いに応じて、前記特定の点灯パターンを変化させることを特徴とする。
【手続補正３】
【補正対象書類名】明細書
【補正対象項目名】０００８
【補正方法】変更
【補正の内容】
【０００８】
また、請求項５記載の発明に係るカメラ装置にあっては、前記点灯制御手段は、前記撮影準備動作を開始した後であって前記撮影開始条件が満たされていない第１の動作状態と、前記撮影開始条件が成立した後であって前記撮影記録動作が完了していない第２の動作状態とを含む一連の動作状態の遷移を示す点灯パターンで前記発光素子を点灯させることを特徴とする。
【手続補正４】
【補正対象書類名】明細書
【補正対象項目名】０００９
【補正方法】変更
【補正の内容】
【０００９】
また、請求項６記載の発明に係るカメラ装置にあっては、前記点灯制御手段は、前記第１の動作状態における前記発光素子の点灯パターンを、前記撮影モード設定手段により設定される撮影モードの違いに応じて変化させることを特徴とする。
【手続補正５】
【補正対象書類名】明細書
【補正対象項目名】００１０
【補正方法】変更
【補正の内容】
【００１０】
また、請求項７記載の発明に係るカメラ装置にあっては、装置本体の周囲の明るさを検出する明るさ検出手段を備え、前記点灯制御手段は、前記点灯制御に伴い前記発光素子を点灯させるときの点灯パターンを、撮影タイミングの決定方法を表すとともに前記明るさ検出手段により検出された周囲の明るさに応じた特定の点灯パターンに制御することを特徴とする。
【手続補正６】
【補正対象書類名】明細書
【補正対象項目名】００１１
【補正方法】変更
【補正の内容】
【００１１】
また、請求項８記載の発明に係るカメラ装置にあっては、前記特定の点灯パターンは、点灯色、点滅速度、点灯回数のうち少なくともいずれか１つにより特徴づけられていることを特徴とする。
【手続補正７】
【補正対象書類名】明細書
【補正対象項目名】００１２
【補正方法】変更
【補正の内容】
【００１２】
また、請求項９記載の発明に係るカメラ装置にあっては、撮影動作に際して所定の補助光の要否を判断する判断手段を備え、前記点灯制御手段は、前記判断手段により所定の補助光が必要と判断された場合には、撮影動作に際し、所定の補助光の確保を目的として前記発光素子を点灯させることを特徴とする。
【手続補正８】
【補正対象書類名】明細書
【補正対象項目名】００１３
【補正方法】変更
【補正の内容】
【００１３】
また、請求項１０記載の発明に係るカメラ装置にあっては、前記所定の補助光は、オートフォーカス動作用の補助光であることを特徴とする。
【手続補正９】
【補正対象書類名】明細書
【補正対象項目名】００１４
【補正方法】変更
【補正の内容】
【００１４】
また、請求項１１記載の発明に係るカメラ装置にあっては、前記所定の補助光は、本撮影用の補助光であることを特徴とする。
【手続補正１０】
【補正対象書類名】明細書
【補正対象項目名】００１５
【補正方法】変更
【補正の内容】
【００１５】
また、請求項１２記載の発明に係るカメラ装置にあっては、前記点灯制御手段は、前記撮影動作に含まれる露光中には前記発光素子を消灯することを特徴とする。
【手続補正１１】
【補正対象書類名】明細書
【補正対象項目名】００１６
【補正方法】変更
【補正の内容】
【００１６】
また、請求項１３記載の発明に係るカメラ装置にあっては、前記点灯制御手段は、撮影動作の完了時に、撮影動作の完了を示す点灯パターンで前記発光素子を点灯させることを特徴とする。
【手続補正１２】
【補正対象書類名】明細書
【補正対象項目名】００１７
【補正方法】変更
【補正の内容】
【００１７】
また、請求項１４記載の発明に係るカメラ装置にあっては、前記点灯制御手段は、連続撮影を行う連写モードによる撮影動作に際し、最後の露光動作の終了時のみ前記撮影動作の完了を示す点灯パターンで前記発光素子を点灯させる点灯制御を行うことを特徴とする。
【手続補正１３】
【補正対象書類名】明細書
【補正対象項目名】００１８
【補正方法】変更
【補正の内容】
【００１８】
また、請求項１５記載の発明に係るカメラ装置にあっては、撮影タイミングの判断基準となるとともに撮影時に変化する基準情報を取得する取得手段を備え、前記発光制御手段は、前記取得手段により取得された基準情報の内容が、決められた条件に該当する内容に変化した時点を撮影タイミングとして決定する自動撮影モードによる撮影動作に際し、前記点灯制御に伴い前記発光素子を点灯させるときの点灯パターンを、前記基準情報の内容における決められた条件との合致度合に応じて変化させることを特徴とする。
【手続補正１４】
【補正対象書類名】明細書
【補正対象項目名】００１９
【補正方法】変更
【補正の内容】
【００１９】
また、請求項１６記載の発明に係るカメラ装置にあっては、前記取得手段により取得される基準情報は手振れ量であり、前記自動撮影モードは、手振れ量が閾値以下となった時点が撮影タイミングとして決定する撮影モードであることを特徴とする。
【手続補正１５】
【補正対象書類名】明細書
【補正対象項目名】００２０
【補正方法】変更
【補正の内容】
【００２０】
また、請求項１７記載の発明に係るカメラ装置にあっては、前記発光制御手段は、撮影指示があってから設定時間が経過した時点を撮影タイミングとして決定する自動撮影モードによる撮影動作に際し、前記点灯制御に伴い前記発光素子を点灯させるときの点灯パターンを、撮影指示があったからの経過時間に応じて変化させることを特徴とする。
【手続補正１６】
【補正対象書類名】明細書
【補正対象項目名】００２１
【補正方法】変更
【補正の内容】
【００２１】
また、請求項１８記載の発明に係るカメラ装置にあっては、動画撮影機能を備えるとともに、前記撮影動作は静止画撮影を目的とした撮影動作であって、前記点灯制御手段は、動画撮影期間中に実施される静止画撮影を目的とした撮影動作に際しても、当該撮影動作中に順に遷移する一連の動作状態に応じて前記発光素子の点灯を制御するとともに、当該点灯制御に伴い前記発光素子を前記特定の点灯パターンで点灯させることを特徴とする。
【手続補正１７】
【補正対象書類名】明細書
【補正対象項目名】００２２
【補正方法】変更
【補正の内容】
【００２２】
また、請求項１９記載の発明に係るカメラ装置にあっては、撮影動作中に特定状況の発生の有無を逐次検出する状況検出手段を備え、前記点灯制御手段は、撮影動作に際して前記点灯制御を行う間、前記状況検出手段により特定状況の発生が検出されたことに応答し、警告を表す点灯パターンで前記発光素子を点灯させることを特徴とする。
【手続補正１８】
【補正対象書類名】明細書
【補正対象項目名】００２３
【補正方法】変更
【補正の内容】
【００２３】
また、請求項２０記載の発明に係るカメラ装置にあっては、前記撮影動作に際し、当該撮影動作に含まれる一連の動作状態が表示可能な動作情報表示手段と、この動作情報表示手段における前記動作状態の表示の有無を制御する表示制御手段とをさらに備えたことを特徴とする。
【手続補正１９】
【補正対象書類名】明細書
【補正対象項目名】００２４
【補正方法】変更
【補正の内容】
【００２４】
また、請求項２１記載の発明に係るカメラ装置にあっては、前記表示制御手段は、前記点灯制御手段による前記点灯制御に伴う発光素子の点灯に連動し、前記動作情報表示手段に前記動作状態を表示させることを特徴とする。
【手続補正２０】
【補正対象書類名】明細書
【補正対象項目名】００２５
【補正方法】変更
【補正の内容】
【００２５】
また、請求項２２記載の発明に係るカメラ装置にあっては、前記表示制御手段は、前記点灯制御手段による前記点灯制御に伴う発光素子の点灯に連動することなく前記動作情報表示手段に前記動作状態を表示させることを特徴とする。
【手続補正２１】
【補正対象書類名】明細書
【補正対象項目名】００２６
【補正方法】変更
【補正の内容】
【００２６】
また、請求項２３記載の発明に係る撮影タイミング報知方法にあっては、装置本体における画角内の任意の位置から視認可能な位置に発光素子が設けられたカメラ装置における撮影タイミング報知方法であって、撮影動作に際し、前記発光素子の点灯タイミングの到来を逐次確認する工程と、前記点灯タイミングが到来したとき、前記発光素子を撮影タイミングの決定方法を表す特定の点灯パターンで点灯させる工程とを含むことを特徴とする。
【手続補正２２】
【補正対象書類名】明細書
【補正対象項目名】００２７
【補正方法】変更
【補正の内容】
【００２７】
また、請求項２４記載の発明に係る撮影タイミング報知プログラムにあっては、装置本体における画角内の任意の位置から視認可能な位置に発光素子が設けられたカメラ装置が有するコンピュータを、撮影動作に際し、前記発光素子を、撮影タイミングの決定方法を表す特定の点灯パターンで点灯させる点灯制御手段として機能させることを特徴とする。